(57)【要約】      （修正有）【課題】手摺を洗浄及び調整するためのシステム、装置、及び方法を提供する。【解決手段】洗浄パッドが、手摺の形状に近づくために湾曲しており、アームに配置されている。アームを支持構造に取付けることができ、それをエスカレータの手摺まで巻き上げてそのままにしてエスカレータの運転中に洗浄を行うことを可能にする。取付けられたとき、アームは、アームを特定の位置に保つためのばねまたはピストンを含み得る。手摺を乾かすためまたは磨くために、第２の洗浄パッドを含んでいてもよく、その手摺は最初に洗浄パッドを通り、次に乾燥パッドを通る。アームは手持ち式であってもよく、それにより使用者は、上下の段差または傾斜に達することができる。洗浄パッドは、格納、保守、または屈曲部または角の周りなどのより優れた到達範囲のために、アームを中心に回転するように取付けてもよい。【選択図】図１
2019206438.tif 000002
【特許請求の範囲】
【請求項１】
遠端部及び近端部を有する少なくとも１つのアーム、及び
前記アームの前記遠端部に配置された少なくとも１つのパッド
を備える手摺を洗浄するためのシステム。
【請求項２】
前記アームの前記遠端部に配置された前記パッドが、前記手摺の少なくとも一部分を包むように構成されている、請求項１に記載の手摺を洗浄するためのシステム。
【請求項３】
前記アームの前記遠端部に配置された前記パッドが、前記手摺の形状に実質的に一致する、請求項１に記載の手摺を洗浄するためのシステム。
【請求項４】
前記アームの前記遠端部に配置された前記パッドは、前記アームと旋回可能に連結されている、請求項１に記載の手摺を洗浄するためのシステム。
【請求項５】
前記アームの前記遠端部に配置された前記パッドが、前記手摺の端部で前記手摺の上及び外にスライドするように構成されている、請求項１に記載の手摺を洗浄するためのシステム。
【請求項６】
前記アームの前記近端部がハンドルを有する、請求項１に記載の手摺を洗浄するためのシステム。
【請求項７】
前記アームの前記近端部が支持構造に配置されている、請求項１に記載の手摺を洗浄するためのシステム。
【請求項８】
前記アームの前記近端部が支持構造に旋回可能に配置されている、請求項７に記載の手摺を洗浄するためのシステム。
【請求項９】
第１のアームと第２のアームであって、前記第２のアームが前記第１のアームの下方に配置され、前記第２のアームの前記近端部が前記支持構造に配置されている、前記第１のアームと前記第２のアーム、
第１のパッドと第２のパッドであって、前記第２のパッドが前記第２のアームの遠端部に配置され、前記第１のパッドと前記第２のパッドは垂直面を通して実質的に整列している、前記第１のパッドと前記第２のパッド
をさらに含む、請求項７に記載の手摺を洗浄するためのシステム。
【請求項１０】
少なくとも１つの支持構造、
近端部及び遠端部を有する少なくとも１つのストラットであって、前記近端部が、前記少なくとも１つの支持構造の前方部分に配置される、前記少なくとも１つのストラット、及び
前記少なくとも１つのストラットの前記遠端部に配置された少なくとも１つのパッド
を備える、手摺を洗浄するためのシステム。
【請求項１１】
前記少なくとも１つのストラットの前記遠端部に配置された少なくとも第１のパッド及び第２のパッド
をさらに備える、請求項１０に記載の手摺を洗浄するためのシステム。
【請求項１２】
前記第１のパッドと前記第２のパッドが垂直面に沿って実質的に整列するように、前記第１のパッドと前記第２のパッドが配置されている、請求項１１に記載の手摺を洗浄するためのシステム。
【請求項１３】
前記第１のパッドと前記第２のパッドが、手摺が最初に前記第１のパッドを通って、次に前記第２のパッドを通って移動するように配置される、請求項１１に記載の手摺を洗浄するためのシステム。
【請求項１４】
前記ストラットが、
第１の端部と第２の端部とを有する実質的に真っ直ぐな部分であって、前記第１の端部が前記支持構造の前記前方部分と連結される前記実質的に真っ直ぐな部分、及び
前記ストラットの前記第２の端部に配置された少なくとも１つの取付けブラケットであって、上側マウントと下側マウントとをさらに含む前記少なくとも１つのブラケット
をさらに含む、請求項１０に記載の手摺を洗浄するためのシステム。
【請求項１５】
第１のパッドが前記取付けブラケットの前記下側マウントに配置され、第２のパッドが前記取付けブラケットの前記上側マウント上に配置される、請求項１４に記載の手摺を洗浄するためのシステム。
【請求項１６】
少なくとも１つの支持構造、
第１の端部と第２の端部とを有する少なくとも１つのストラットであって、前記第１の端部が前記支持構造に配置されている少なくとも１つのストラット、
上側マウントと下側マウントとを有する少なくとも１つの取付けブラケットであって、前記少なくとも１つの取付けブラケットが前記ストラットの前記第２の端部に配置されている前記少なくとも１つの取付けブラケット、
前記下側マウントに配置される少なくとも１つの第１のパッド、及び
前記上側マウント上に配置される少なくとも１つの第２のパッド
を備える、手摺を洗浄するためのシステム。
【請求項１７】
前記第１のパッドと前記第２のパッドが、前記第１のパッドと前記第２のパッドが垂直面に沿って実質的に整列するように配置される、請求項１６に記載の手摺を洗浄するためのシステム。
【請求項１８】
前記少なくとも１つのストラットが、
少なくとも１つの位置要素
をさらに備える、請求項１６に記載の手摺を洗浄するためのシステム。
【請求項１９】
前記少なくとも１つのストラットが、
前記少なくとも１つの支持構造の右側に配置されている第１のアーム、
前記少なくとも１つの支持構造の左側に配置されている第２アーム、及び
前記第１のアーム及び前記第２のアームに連結されている少なくとも１つの位置要素
をさらに備える、請求項１６に記載の手摺を洗浄するためのシステム。
【請求項２０】
前記少なくとも１つの支持構造の下面に配置される少なくとも１組の車輪
をさらに含む、請求項１６に記載の手摺を洗浄するためのシステム。
【発明の詳細な説明】
【技術分野】
【０００１】
優先権の主張
本願は、２０１８年１月２日に出願された米国特許出願公開第１５／８５９，８６８号の一部継続出願であり、その利益を主張するものである。それは２０１６年１０月１５日に出願され、現在米国特許第９，８５６，１１５号である米国特許出願公開第１５／２９４，７２１号の利益を主張するものである。それは、２０１５年６月２０日に出願され、現在米国特許第９，７６４，９２９号である米国特許出願公開第１４／７４５，４１２号の利益を主張するものである。それは、２０１４年９月１７日に出願された米国仮出願第６２／０５１，６７１号の利益を主張するものである。これらすべては、本明細書に完全に記載されているかのように、その全体が本明細書に組み込まれる。
【０００２】
本開示は、概して手摺に関し、より具体的には手摺の洗浄用のシステム及び方法に関する。
【背景技術】
【０００３】
手摺は、使用者がバランスと安全を維持するのを促すために、階段、ＡＤＡ適用ランプ、エスカレータ、及び多くの通路で使用されている。そのため、手摺は人間の手やその上に乗せられているすべての要素、ならびに建物や屋外に見られる要素によって触れられている。手摺は細菌やウイルスを含んでいることが示されており、そのため使用者、特に子供、高齢者、またその他免疫不全の可能性がある者達の健康と安全を維持するために定期的に洗浄する必要がある。手摺を洗浄することには、それ自体の危険を伴うことがある。それを洗浄するために通路の上に横切るように身を乗り出す必要がある場合があるからである。さらに、手摺の洗浄は、単調であるが時間のかかる作業であり、さらに難関な作業から人的労働を流用してしまうこともある。本明細書に開示される開示は、生産、安全、及び手摺の洗浄の容易さの面で改善させることによって、手摺洗浄プロセスを単純化することを目的とする。
【発明の概要】
【０００４】
本開示は、概して手摺に関し、より具体的には手摺の洗浄用のシステム及び方法に関する。このシステムは、本質的に洗浄パッドと、洗浄パッドを展開するための手段とからなる。
【０００５】
いくつかの実施形態では、手摺を洗浄するためのシステムは、遠端部と近端部とを有する少なくとも１つのストラットと、ストラットの遠端部に配置された少なくとも１つのパッドとを備える。いくつかの実施形態では、システムは、手摺の少なくとも一部分を包むように構成され得る、ストラットの遠端部に配置されたパッドをさらに備える。いくつかの実施形態では、ストラットの遠端部に配置されたパッドは、手摺の形状に実質的に一致する。いくつかの実施形態では、ストラットの遠端部に配置されたパッドはストラットと旋回可能に連結してもよい。いくつかの実施形態では、ストラットの遠端部に配置されたパッドは、手摺の端部で手摺の上及び外にスライドするように構成されてもよい。いくつかの実施形態では、ストラットの近端部はハンドルを含み得る。いくつかの実施形態では、ストラットの近端部は支持構造に配置されてもよい。いくつかの実施形態では、ストラットの近端部は支持構造に旋回可能に配置されてもよい。いくつかの実施形態では、手摺を洗浄するためのシステムは、第１のストラットと第２のストラットであって、第２のストラットが第１のストラットの下に配置され、第２のストラットの近端部が、支持構造に配置されてよい、第１のストラットと第２のストラット；第２のパッドが第２のストラットの遠端部に配置されている第１のパッドと第２のパッドをさらに含み得；第１のパッドと第２のパッドは、垂直面を通して実質的に整列している。いくつかの実施形態では、支持構造は４つの車輪に配置されてもよい。いくつかの実施形態において、４つの車輪はキャスタであり得る。他の実施形態では、４つの車輪のうちの２つがキャスタであってもよく、他の２つの車輪がキャスタでなくてもよい。
【０００６】
いくつかの実施形態では、手摺を洗浄するためのシステムは、支持構造；支持構造の前方部分に配置されているストラット；ストラットに配置された第１のパッド；及び第１のパッドの下方のストラットに配置されている第２のパッドを備える。いくつかの実施形態において、手摺を洗浄するためのシステムは、少なくとも１つの支持構造；近端部及び遠端部を有する少なくとも１つのストラットであって、近端部が、少なくとも１つの支持構造の前方部分に配置されてもよい少なくとも１つのストラット；少なくとも１つのストラットの遠端部に配置された少なくとも１つのパッドを備える。いくつかの実施形態では、第１のパッド及び第２のパッドは、第１のパッド及び第２のパッドが垂直面に沿って実質的に整列し得るように配置されてもよい。いくつかの実施形態では、第１のパッド及び第２のパッドは、手摺が最初に第１のパッドを通って、次に第２のパッドを通って移動するように配置されてもよい。いくつかの実施形態では、ストラットはさらに、第１の端部と第２の端部とを有する実質的に真っ直ぐな部分であって、第１の端部が支持構造の前方部分と連結することができる実質的に真っ直ぐな部分；及びストラットの第２の端部に配置される取付けブラケットであって、上側マウントと下側マウントとをさらに備えるブラケットからなることができる。いくつかの実施形態で、第１のパッドは取付けブラケットの上側マウントに配置でき、第２のパッドは取付けブラケットの下側マウントに配置できる。
【０００７】
いくつかの実施形態では、手摺を洗浄するためのシステムは、支持構造；第１の端部と第２の端部とを有するストラットであって、第１の端部が支持構造に配置されているストラット；上側マウントと下側マウントとを備えた取付けブラケットであって、ストラットの第２の端部に配置されている取付けブラケット；上側マウントに配置されている第１のパッド；及び下側マウントに配置されている第２のパッドを備える。いくつかの実施形態では、手摺を洗浄するためのシステムは、支持構造の前縁に配置されたキャスタをさらに含む。いくつかの実施形態では、手摺を洗浄するためのシステムは、支持構造の後縁に配置された車輪をさらに備える。
【０００８】
上記に加えて、他の様々な方法、システム、及び／またはプログラム製品の実施形態が、本文（例えば、特許請求の範囲、図面、及び／または発明を実施するための形態）及び／または本開示の図面などの教示において記載及び説明される。
【０００９】
以上が概要であり、したがって必然的に、簡略化、一般化及び詳細の省略を含む。結果として、当業者は、概要が例示的なものにすぎず、決して限定的であることを意図していないことを理解する。本明細書に記載の装置及び／またはプロセス及び／または他の主題の他の態様、実施形態、特徴及び利点は、本明細書に記載の教示から明らかになる。
【００１０】
本開示の特定の実施形態は、以下の図面を参照して以下に詳細に説明される。
【図面の簡単な説明】
【００１１】
【図１】伸長位置または動作位置にあるエスカレータの手摺を洗浄するためのシステムの一実施形態の等角図である。
【図２】上記システムの周囲の等角図である。
【図３】上記システムの周囲の側面図である。
【図４】上記システムの一実施形態の側面図である。
【図５】上記システムの一部の分解図である。
【図６】保守位置にあるエスカレータの手摺を洗浄するためのシステムの一実施形態の等角図である。
【図７】保守位置にあるエスカレータの手摺を洗浄するためのシステムの一実施形態の一部の側面図である。
【図８】格納位置にあるエスカレータの手摺を洗浄するためのシステムの一実施形態の等角図である。
【図９】上記システムの側面図である。
【図１０】エスカレータの手摺を洗浄するためのシステムの一実施形態の下面の図である。
【図１１】エスカレータの手摺を洗浄するためのシステム用の洗浄要素の一実施形態の等角図である。
【図１２】図１２ａは、上記要素の正面図である。図１２ｂは、上記要素の側面図である。
【図１３】収納位置にあるＡＤＡ適用手摺を洗浄するためのシステムの一実施形態の等角図である。
【図１４】伸長位置にあるＡＤＡ適用手摺を洗浄するためのシステムの一実施形態の等角図である。
【図１５】ＡＤＡ適用手摺を洗浄するためのシステムの分解等角図である。
【図１６】ＡＤＡ適用手摺を洗浄するためのシステムの洗浄要素装置の一実施形態の等角図である。
【図１７】上記装置の正面図である。
【図１８】図１８ａは、上記装置の右側の側面図である。図１８ｂは、上記装置の左側の側面図である。
【図１９】ＡＤＡ適用手摺を洗浄するためのシステムの別の実施形態の分解等角図である。
【図２０】エスカレータの手摺を洗浄するためのシステムの他の実施形態の等角図である。
【図２１】エスカレータの手摺を洗浄するためのシステムの他の実施形態の等角図である。
【図２２】上記システムの右側の側面図である。
【図２３】伸長位置または動作位置にあるエスカレータの手摺を洗浄するためのシステムの別の実施形態の等角図である。
【図２４】図２３に示しているシステムの周囲の等角図である。
【図２５】図２３に示しているシステムの周囲の側面図である。
【図２６】カート内の格納位置にありカートのドアが開位置にある状態で構成されたシステムの等角図である。
【図２７】カート内の格納位置にありカートのドアが閉位置にある状態で構成されたシステムの背面の等角図である。
【図２８】保守位置にあるエスカレータの手摺を洗浄するためのシステムの等角図である。
【図２９】柱、取付けブラケット、及び洗浄要素を含むシステムの例示的な副次的組立体の側面図である。
【図３０】システムの例示的な副次的組立体の分解等角図である。
【図３１】手摺を洗浄するためのシステムのための洗浄要素の別の実施形態の等角図である。
【図３２】パッドを含む、図３１に示す洗浄要素の等角図である。
【図３３】パッドを含む、図３１に示す洗浄要素の正面図である。
【図３４】パッドを含む、図３１に示す洗浄要素の側面図である。
【図３５】保持クリップを含む、図３１に示す洗浄要素の等角図である。
【図３６】洗浄要素に係合した保持クリップを示す概略図である。
【図３７】図３６に示す洗浄要素の正面図であり、手摺上への挿入及び／または異なる手摺の異なる断面の外形に対応するための洗浄要素の撓みの例示的な範囲を示す。
【図３８】図３５に示されている洗浄要素の断面の等角図である。
【図３９】図３５に示されている洗浄要素の正面の断面図である。
【図４０】保持クリップを除いた図３９に示す洗浄要素の正面図であり、手摺上への挿入及び／または異なる手摺の異なる断面の外形に対応するための洗浄要素の撓みの例示的な範囲を示す。
【図４１】手摺を洗浄するためのシステムのさらに別の実施形態の等角図である。洗浄要素に選択的に連結するように構成されているハンドルを示す。
【図４２】図４１に示されている洗浄要素の断面の等角図である。
【図４３】図４１に示され、パッドを洗浄要素に固定するように構成されたパッドカプラを含むシステムの等角図である。
【発明を実施するための形態】
【００１２】
本開示は、概して手摺に関し、より具体的には手摺を洗浄するためのシステム及び方法に関する。本開示の特定の実施形態の具体的な詳細が、そのような実施形態の完全な理解をもたらすために、以下の説明及び図１〜図４３に記載されている。本開示は、追加の実施形態を有してもよく、詳細の１つ以上が任意の特定の説明された実施形態について説明されていなくても実施してよく、別の実施形態のために説明された任意の他の詳細と共に、１つの特定の実施形態に対して説明されたいずれかの詳細を実施してもよい。
【００１３】
重要なことに、この発明を実施するための形態にある任意の特定の「実施形態」における発明の態様のグループ化、及び／または本明細書に提示される特許請求の範囲における制限のグループ化は、それらの特定の態様を制限する開示及び／またはその特定の実施形態及び／または特許請求の範囲に対する制限であることを意図してはいない。本開示を提示する本発明の実体は、発明を実施するための形態における任意の実施形態の任意の開示された態様であることを完全に意図しており、及び／または本開示及び／または本願から優先権を主張する任意の継続出願（例えば、継続、継続の部分的及び／または分割出願）に対してそれまでに提示されてきた任意の特許請求の範囲の制限は、発明を実施するための形態における任意の実施形態の任意の他の開示された態様で及び／または任意の特許請求の範囲の制限と共に実施されてもよい。様々な実施形態及び／または最初に提示された特許請求の範囲から引き出される請求された組み合わせは、本開示が出願されている時点では完全に発明の実体の所有の範囲内である。各々が本明細書に開示されており、したがって当初の特許請求の範囲または本明細書にて最初に出願されたものとして（または本願から優先権を主張するいずれかの継続出願）支持される制限の任意の組み合わせを含むいかなる未来の特許請求の範囲も、そのような組み合わせが本明細書に記載されているかどうかに関係なく、現時点で本発明の実体が所有している。なぜなら、そのような組み合わせはすべて、本明細書の開示を所与であるとして過度の実験をすることなく現在実施可能であると本発明の実体によりみなされ、したがってそのような未来のいかなる請求も新規の事項を表さないからである。
【００１４】
図１は、動作位置にあるエスカレータの手摺を洗浄するためのシステムの一実施形態の等角図である。このシステムは、カート装置１００と洗浄パッド装置２００とから本質的になっている。
【００１５】
いくつかの実施形態では、カート１００はハンドル１１０を含み得る。ハンドル１１０は多目的であり得る。第１に、ハンドル１１０を使用してカート１００を適切な位置に押したり引いたりすることができる。第２に、ハンドル１１０を使用してばね１１１を係合または係合解除でき、次にそれはハンドルブレーキ１１２と係合または係合解除する。いくつかの実施形態では、ブレーキ１１２は通常車輪１７２に係合し、ブレーキ１１２を係合解除するためにハンドル１１２を操作しなければならない。例えば、いくつかの実施形態では、ハンドル１１０が押し下げられ、それによってばね１１１がブレーキ１１２を上げ、車輪１７２を係合解除する。ハンドル１１０が外されると、スプリング１１１が外され、ブレーキ１１２が後輪１７２と係合してカートが動くことを防ぐ。他の実施形態では、ブレーキ１１２を外すためにハンドル１１０を上げなければならない。ハンドル１１０が外されると、ブレーキ１１２は車輪１７２と係合してカートの動きを防止する。
【００１６】
他の実施形態では、通常、ブレーキ１１２が係合解除され、車輪１７２にブレーキをかけるためにハンドル１１０を操作しなければならない。例えば、ハンドル１１０を係止位置に上げて、ばね１１１がブレーキ１１２を押し下げて車輪１７２に係合するようにすることができる。別の実施形態では、ハンドル１１０を係止位置に押し下げて、ばね１１１をブレーキ１１２に移動させ、後輪１７２に係合させることができる。ばね１１１は、圧縮ばね、クロックスプリング、ねじりばね、引張ばね、またはばねの機能を変えない他の任意のタイプの張力装置でよい。同様に、ハンドル１１０は、金属製、プラスチック製、木材製でもよく、曲線状、直線状、またはハンドルの機能を変更しない任意の他の形状もしくは材料でもよい。
【００１７】
いくつかの実施形態では、カート１００はレセプタクル１２０を含み得る。レセプタクル１２０は、本開示の他の要素を拒むために、または格納もしくは移送するために使用され得る。レセプタクル１２０は、カートの上部に開口部を有しても、蓋（図示せず）を含んでも、取外し可能または交換可能であってもよく、用途に必要であるものとして剛性または可撓性材料からなり得る。
【００１８】
いくつかの実施形態では、カート１００はまた、少なくとも１つのトレイ１３０を含み得る。実施形態では、トレイ１３０は、本開示と共に使用される洗浄液を貯めるために使用され得る。別の実施形態では、トレイ１３０を使用して本開示の追加の洗浄パッドまたは洗浄要素を格納または移送することができる。トレイ１３０は、任意の硬質または半硬質の材料からなることができる。いくつかの実施形態では、トレイ１３０は、推奨される洗浄液との非反応性、防錆性、強度または熱の特性などの特定の特性を有する材料からなることができる。いくつかの実施形態では、トレイ１３０はビーム１４０によって支持される。いくつかの実施形態では、ビーム１４０は４つという数であり得る。他の実施形態では、ビーム１４０は、図１に示すように３つという数であり得る。いくつかの実施形態では、カート１００は第２のトレイ１３１を含み得る。トレイ１３１はトレイ１３０の諸目的のうちのいずれかを果たし得る。
【００１９】
いくつかの実施形態では、カート１００はベース１７０を含むことができる。ベース１７０はカート１００用の支持構造であり、それ自体、ベースの機能に影響を与えることのない任意の剛性材料とすることができる。いくつかの実施形態では、ベース１７０は前輪１７１を含み得る。車輪１７１は後輪１７２よりも小さい傾向があり、カート１００のより優れた操縦性を可能にするが、いくつかの実施形態では前輪は実質的に後輪１７２と同じ大きさ、またはそれよりもさらに大きい大きさであり得る。いくつかの実施形態では、車輪１７２は、車輪ガード１７５などのベース１７０の一部によって覆われてもよい。
【００２０】
いくつかの実施形態では、ベース１７０はブラケット１７３を含むことができ、それとストラット１６０が連結される。ブラケット１７３は、ブラケットが実質的に動かない限り、任意の数の方法でベース１７０に固定することができる。ストラット１６０は、ストラットが移動可能に設計されているので、それが留め具の周りを回転できる限り、任意の数の方法でブラケット１７３に固定することができる。いくつかの実施形態では、ストラット１６０は単一のストラットであり得る。いくつかの実施形態において、ストラット１６０は、前方アーム１６１及び後方アーム１６２などの複数のアームからなってもよい。いくつかの実施形態において、ストラット１６０は、１つ、２つ、３つ、４つ、またはそれより多い個々のアームからなってもよい。複数アームの実施形態では、各アームは特定の用途の必要性に応じて、直列にまたは個々に動くことができる。実施形態では、図１に示しているが、ストラット１６０は、２つの前方アーム１６１と２つの後方アーム１６２とからなり、両方の組のアームの下部はそれぞれブラケット１７３の前方部と後方部に取付けられている。上部はクロスバー１６５と連結されており、これは個々のアームを直列に移動させる。クロスバー１６５はさらに取付けブラケットと連結されており、これは図３でさらによく描写されている。
【００２１】
図２は、動作位置及び使用中のエスカレータの手摺を洗浄するためのシステムの一実施形態の等角図である。この実施形態では、ストラット１６０が延び、洗浄要素２００が少なくとも部分的にエスカレータの手摺２７０の周りに配置されることが可能になる。洗浄要素２００に関する詳細は、本明細書でさらに論じられる他の図面によりよく開示される。
【００２２】
図３及び図４は、エスカレータの手摺を洗浄するためのシステムの一実施形態の側面図である。図３は、エスカレータの手摺を備えたシステムを示している。図４は例示の目的のためだけのシステムである。これらの図面は、ストラット１６０の残りの部分と、取付けブラケット１５０、さもなければクリーニングパッドキャリッジとして知られているものとの一体化をよりよく示す。
【００２３】
いくつかの実施形態では、カートベース１７０とストラット１６０との間にストッパ１８０があってもよい。いくつかの実施形態では、ストッパ１８０は固定されてもよく、ストラットが動作位置に延びるときストラット１６０に一定の位置を付与する。他の実施形態では、ストッパ１８０が調整可能であり得る。さらなる実施形態では、ストッパ１８０は、刻み付きノブ１８１を回転させることによって調整することができる。異なるさらなる実施形態で、ストッパ１８０は、アタッチメントからベース１７０までストッパを緩め、それをベースの平面に対して回転させることによって調整することができる。
【００２４】
いくつかの実施形態では、ストラット１６０は位置要素１６３をさらに含むことができる。位置要素１６３の機能は、洗浄要素２００の位置決めと安定性を補助することである。いくつかの実施形態では、位置要素１６３は空気圧シリンダまたは油圧シリンダであり得る。いくつかの実施形態において、位置要素１６３はガススプリングであり得る。いくつかの実施形態では、位置要素１６３は他の任意の種類の線形ばねであり得る。位置要素１６３の往復直線運動は、要素の機能を変えることなく多くの方法で達成することができる。
【００２５】
ストラット１６０は取付けブラケット１５０と連結されている。いくつかの実施形態では、ストラット１６０とブラケット１５０との間の接合部が固定されている。いくつかの実施形態では、ストラット１６０とブラケット１５０との間の接合部は移動可能である。実施形態では、取付けブラケット１５０は、ストラット１６０との接合部を中心に回転し、取付けブラケット及び洗浄要素２００がストラット１６０に対して異なる位置を有することを可能にする。例として図６及び図９を参照されたい。ストラット１６０とブラケット１５０との間の接合部での移動を可能にすることで、洗浄要素２００をカート１００及びエスカレータの手摺２７０に対してより正確に位置決めすることがさらに可能になる。いくつかの実施形態において、それらの間の接合部は一方向のみの移動を可能にし得る。他の実施形態では、接合部は２つ以上の方向への移動を可能にできる。いくつかの実施形態では、接合部はボールジョイントであり得、ほぼ１００％の動きの自由度を許容する。いくつかの実施形態において、接合部は、３つ以上の軸における動きを可能にし得る。
【００２６】
いくつかの実施形態では、取付けブラケット１５０は１つのみのマウントを有することができる。実施形態では、取付けブラケット１５０は、２つのマウント、上側マウント１５１及び下側マウント１５２を有する。この構成では、使用者は、手摺を上部洗浄要素と下部洗浄要素の両方に通すことによって、エスカレータの手摺２７０を洗浄することができる。１つの使用方法では、使用者は１つの洗浄要素２００を洗浄液に浸し、それを下側マウント１５２に取付ける。乾式洗浄要素２００は上側マウント１５１に取付けられ、洗浄要素は手摺２７０の周囲にぴったり合うように曲げられる。手摺２７０は、最初に湿った洗浄要素を通り、次に乾式要素を通るときに洗浄される。図３に示されるような進行方向２８０に留意されたい。特定の移動の方向であることで、エスカレータの全長を進むと手摺がより完全近くまで乾くことが可能になるので、特定の移動の方向が推奨される。これは少なくとも３つの理由で重要である。１つは、ローラーやガイドなどのエスカレータ機構からのほこりやその他の破片が手摺に集まるのを防ぐことである。さらに、濡れた手摺がシステムに入ると、駆動システムの誘導及び追跡が中断され、全体として手摺及びエスカレータに損傷を与える可能性がある。さらに、手摺クリーナーをエスカレータの新しい（出現する）端部に配置することは、手摺クリーナーのいずれかの部分が手摺に引っかかり、手摺システムによって閉じ込められる状況を防ぐのに役立つ。手摺が出現しているので、手摺に引っかかるようになったいかなる要素でもシステムに入る前に引き離すことができ、手摺システムに取込まれるようになる品目に関連する損傷と安全上のリスクを排除する。
【００２７】
他の使用方法では、乾式洗浄要素２００を上側マウント１５１に取付け、光沢剤またはコンディショナーを下側マウント１５２に取付けられた洗浄要素に配置することができる。他の使用方法では、溶液は、光沢剤またはコンディショナーを含み得、乾燥要素は、乾燥剤及び緩衝剤として作用し得る。エスカレータの手摺の自動化されたほぼ自律的な洗浄を可能にする２つの洗浄要素を上下に配置することによって容易になる多くの使用方法がある。
【００２８】
いくつかの実施形態では、洗浄要素２００は、留め具１５３を介してマウント１５１及び１５２と連結されている。いくつかの実施形態では、留め具１５３は恒久的である。いくつかの実施形態では、留め具１５３は取外し可能であり、洗浄要素２００の容易な設置及び取外しを可能にする。いくつかの実施形態では、留め具１５３は、押しボタン式ピン、クォーターターンファスナ、テンションラッチ、プッシュターンファスナなどのクイックリリースファスナ、またはその他の簡単に取外せる標準の留め具であり得る。
【００２９】
図５は、ストラット１６０と取付けブラケット１５０との間の接合部の一実施形態の分解図である。ここでは、ストラット１６０が前方アームセット１６１と後方アームセット１６２とを有する実施形態を見ることが可能である。ストラット１６０を備えるアームの組の間に配置された位置要素１６３を見て取ることができる。一実施形態では、前方アーム１６１は留め具１６６によって接合することができる。いくつかの実施形態では、後方アーム１６１は留め具１６７によって接合することができる。いくつかの実施形態において、留め具１６６または留め具１６７は、取付けブラケット１５０を介してさらに配置されてもよい。この実施形態では、取付けブラケット１５０は、留め具１６６または１６７の周りを回転して、ブラケットの代替的な位置決めを可能にすることができる。いくつかの実施形態において、左右のアームセットは、中央ブラケット１６４を介して接合されてもよい。中央ブラケット１６４は、ラッチ１９０を収容してもよい。いくつかの実施形態において、ラッチ１９０は第１のノッチ１９１、第２のノッチ１９２及び第３のノッチ１９３を有し得る。この特定の特徴及び代替的な位置決めについては、図７でさらに詳しく論じる。
【００３０】
図６は、エスカレータの手摺を洗浄するためのシステムの一実施形態の等角図であり、システムは洗浄要素変更位置にある。見て取れるように、ブラケット１５０は、マウント１５１及び１５２がベース１７０と実質的に平行になるように回転させることができる。これにより、使用者は洗浄要素２００またはその一部をより容易に変えることができる。
【００３１】
図７に示すこの位置の断面図は説明的である。カート１００の前面が左になるように像が回転されることに留意されたい。図７は、いくつかの実施形態で、容易かつ迅速な交換のためにブラケット１５０を回転させて洗浄要素２００を提示できることを示している。ブラケット１５０が回転すると、その面はほぼ水平になるか、ベース１７０の平面（この図には示されていない）とほぼ平行になり、それによって洗浄要素２００へ容易に接近できるようになる。
【００３２】
いくつかの実施形態では、取付けブラケット１５０はラッチ１９０と連結される。１つの使用方法は、ブラケット１５０が代替位置にあるとき、ラッチ１９０が係合してブラケットがその使用位置に戻るのを防ぐというものである。別の実施形態では、ラッチ１９０は、さらなる構造上の完全性のために、使用中の位置を含む任意の位置にブラケット１５０を保持するために使用される。別の実施形態では、ラッチ１９０を使用して使用中の位置からブラケット１９０を外して、別の位置への移動を可能にすることができる。いくつかの実施形態では、ラッチ１９０は第１のノッチ１９１を有することができる。ブラケット１５０が変更位置に回転すると、ノッチ１９１はキャッチ１９４と係合してブラケットをその位置に保持することができる。他の実施形態では、ラッチ１９０は第１のノッチ１９１及び第２のノッチ１９２を有することができる。ブラケット１５０が使用位置にあるとき、ノッチ１９２はキャッチ１９４と係合してブラケットを洗浄位置または使用位置に保持し得る。ブラケット１５０が変更位置に回転すると、ノッチ１９１がキャッチ１９４と係合してブラケットを変更位置に保持し得る。いくつかの実施形態では、ラッチ１９０は第１のノッチ１９１、第２のノッチ１９２、及び第３のノッチ１９３を有することができ、各ノッチは取付けブラケット１５０の異なる位置を許容する。いくつかの実施形態では、ラッチ１９０はばね１９５を含み得る。ばね１９５は、ブラケット１５０によって「標準」の位置を確立するために使用でき、ラッチがキャッチ１９４から係合解除されるときにブラケットがその位置に戻れるようにする。いくつかの実施形態では、ばね１９５は、ブラケットが任意の位置にあるときシステムの残りの部分へブラケット１５０により及ぼされる力に対して反対に働く力を与えるだけであってよい。図７において描写しているように、ばね１９５はねじりばねである。しかし、ばね１９５は、その機能を変えることなく、圧縮ばね、クロックスプリング、引っ張りばね、または任意の他の種類のばねであり得る。
【００３３】
図８は、格納位置にあるエスカレータの手摺を洗浄するためのシステムの一実施形態の等角図である。図９はその側面図である。この位置では、ストラット１６０は、システムが動作位置にあるときとは対照的に、実質的に垂直になるように収納し、ストラットは垂直に対して約４５度の角度にある。いくつかの実施形態において、カート１００は、格納位置を維持するためにラッチを含み得る。他の実施形態では、格納位置は、線形ばね１６３によって、または線形ばねと別個の係止機構との何らかの組み合わせによって維持されてもよい。
【００３４】
図１０は、エスカレータの手摺を洗浄するためのシステムの一実施形態の下面図である。ストラット（図示せず）が固定されるブラケット１７３は、ベース１７０の表面を貫通して配置される。いくつかの実施形態では、ブラケット１７３をベース１７０に連結する留め具は、例えばリベットのように恒久的であり得る。他の実施形態では、留め具は、ナットやボルトなど、取外し可能であり得る。特定の用途において、ストラット全体を交換できるようにすること、またはストラット組立体を、損傷を受けたベースから無傷のものへと移動させることは、価値があり得る。したがって、ベース１７０及びブラケット１７３の機能を変えることなく、当該の位置で任意の数の留め具を使用することができる。
【００３５】
図１１は、洗浄要素２００の一実施形態の等角図である。洗浄要素２００は、実質的に可撓性フォーム２１０からなる。いくつかの実施形態において、可撓性フォーム２１０は、プラスチック、発泡体、または任意の数の複合材料などの任意の可撓性の材料でよい。他の実施形態では、可撓性フォーム２１０は、シリコーン、シリコーンゴム、テフロンなどのような非反応性または実質的に不活性な材料からなってもよい。可撓性フォーム２１０の主な機能は、洗浄要素２００の特定の形状をもたらすことであり、それによって、要素を手摺の表面及び側面にほぼ一致させ、ほぼ完全に覆うことが可能になるが、依然として、手摺やフォームを傷つけずに手摺に配置されるか、それから取外されるのに十分可撓性がある。しかし、可撓性フォーム２１０は、ほぼ確実に少なくとも１つの洗浄液と接することになり、それらの多くは少なくとも１つの腐食性または化学的な研磨性成分を含有している。可撓性フォーム２１０はまた、光沢剤、ワックス、及び手摺の材料と接する可能性がある。このため、可撓性フォーム２１０の材料の特性は特定の用途に関連するようになり得る。したがって、多くの可撓性材料は、可撓性フォーム２１０の一次機能または二次機能のいずれかを変更することなく機能することができ、特定の用途に対して必要に応じて変えることができる。
【００３６】
洗浄要素２００はまた、洗浄用の布２４０を含み得る。布２４０は、マイクロファイバ、綿、テリークロス、または任意の数の標準的な洗浄用の布の材料であり得るが、実施形態は、水分を保持し破片を収集及び保持できるようにマイクロファイバを使用する。この用途では、洗浄用の布２４０は、洗浄液を保持することと、洗浄プロセスで除去されたあらゆる破片を捉えることの両方が必要となることが多く、その用途にはマイクロファイバが特に適している。
【００３７】
洗浄用の布２４０は、フォーム２１０の内側部分と同一平面上に位置し、表面全体を覆うように設計されている。そうするために、それを洗浄用の布２４０の機能を妨げない何らかの様式で、フォーム２１０の上に保持しなければならない。１つの解決策はサポート用の布２３０を使用することである。いくつかの実施形態において、サポート用の布２３０は洗浄用の布２４０と、フォーム２１０の内側部分と外側部分の間の縁にほぼ沿っている縫い目で、繋げられる。サポート用の布２３０と洗浄用の布２４０はフォーム２１０の上に延び、フォームが突出してピンホール２６０へ接近できるようにするための上部のスポットを残している。いくつかの実施形態では、布はストラップ２２０によってフォーム２１０上に保持され、それは可撓性フォームの上部のスリット２５０を通って配置される。他の実施形態では、サポート用の布２３０は、ストラップを使用せずにフォーム２１０でその位置を維持するのに十分なほど弾性であり得る。他の実施形態では、ストラップ２２０は洗浄用の布２４０と直接接続することができる。他の実施形態では、布２３０及び２４０は上記の方法のいずれかでフォーム２１０に配置される１つの材料とすることができる。
【００３８】
ピンホール２６０は、フォーム２１０が留め具１５３を介して取付けブラケット１５０と接合される点である。これについては、上でより詳細に論じている。
【００３９】
図１２ａは、洗浄要素２００の正面図である。洗浄要素２００の側面から側面への輪郭は、手摺の上面と側面を覆い、その上にぴたりとはまるように設計され、洗浄用の布２４０が、使用者が触れる可能性のあるハンドルの表面全体に触れることを可能にする。図１２ｂは、正面から背面までの洗浄要素２００の輪郭を示す側面図である。これは、描かれている実施形態がわずかな曲線を有する、非限定的な例である。図２及び図３にて見て取れるように、エスカレータの手摺を洗浄するためのシステムは、手摺が床から出てエスカレータの全長にわたって進み始めるエスカレータの端部に配置することができる。わずかに湾曲した長手方向の輪郭により、洗浄要素２００が手摺の新しい端部との接触を少し長めに維持することが可能になり、手摺と洗浄要素との間でより優れた洗浄がもたらされ、また摩擦の箇所が減少し、最終的にシステムの磨耗が減少する。しかし、他の実施形態では、長手方向の輪郭は実質的に直線であり、手摺に曲線が存在しないような移動する歩道またはエスカレータの他の部分にシステムを使用することが可能になっている。
【００４０】
また、障害のあるアメリカ人法では、洗浄及びコンディショニングが必要となる。図１３は、ＡＤＡ適用手摺クリーナーの一実施形態の等角図である。この実施形態では、洗浄要素２００がハンドル要素３００に取付けられる。いくつかの実施形態では、ハンドル３００は固定した長さであり得る。いくつかの実施形態では、ハンドル３００は、図１４に見られるように、伸縮収納式であり得る。伸縮式ハンドル３００の実施形態は１つまたは複数のセクション３０１を含むことができ、それにおいてセクションが徐々にわずかに小さくなり、ハンドルの大部分を単一のセクションの長さに収納させることができるようにする。図１４において、この特徴は、ハンドルが洗浄要素２００から離れるにつれて各セクションの直径が小さくなるものとして見て取れる。これは、伸縮式ハンドル３００のセクションの数を制限すると解釈されるべきではない。セクションの数が１つより多くある限り、ハンドルは伸縮式になる。ハンドル３００が伸縮式になっているとき、各セクションは係止機構３０２で互いに接合されてもよい。いくつかの実施形態では、係止機構３０１はクランプレバー、ツイストロック、または他の任意の伸縮式の係止機構であってもよい。いくつかの実施形態では、ハンドル３００は、係止機構３０１が外されたときにハンドルの部分が互いに自動的に収納するように、戻しばねを含み得る。この伸縮式機構は、そうするために使用者が階段または傾斜路に立つ必要なくハンドルの全長に沿って洗浄要素２００を延ばすことを可能にし、洗浄プロセスをより安全かつより人間工学的に正常にする。
【００４１】
図１５は、ＡＤＡ適用手摺クリーナーの一実施形態の分解図である。ハンドル３００は、ソケット３１０、ブラケット３２０、つまみねじ３３０、及びボルト３４０を追加することによって洗浄要素２００と連結されている。ブラケット３２０は、エスカレータの手摺クリーナーの実施形態と同様にピンホール２６０のフォームを通して配置される留め具１５３を介して、可撓性フォーム２１０と連結されている。いくつかの実施形態において、ブラケット３２０は１つ以上のガスケット３２１を含み得る。いくつかの実施形態において、ハンドル３００が洗浄要素２００に対して一定の角度になるように、ブラケット３２０はフォーム２１０に堅く連結され得る。他の実施形態では、ブラケット３２０は、洗浄要素２００に対してハンドル３００を回転させることができるように、フォーム２１０と連結することができる。そのような一実施形態では、ハンドル３００は、長手方向の平面に沿って移動可能であり得、その結果ハンドルは実質的に水平な状態から実質的に垂直な状態に移動することができる。別のそのような実施形態では、ハンドル３００は普遍的に旋回して、ハンドルが洗浄要素２００の周りの任意の平面で動くことを可能にし得る。この種の実施形態は、湾曲した階段または傾斜路に、あるいは角の周りに洗浄要素２００を送る際に有用であり得る。
【００４２】
留め具３４０はブラケット３２０の穴を通して配置され、ソケット３１０は留め具にねじ込まれる。いくつかの実施形態では、留め具３４０は、リベットのような永続的な留め具であり得る。他の実施形態では、留め具３４０は、ボルトなどのように取外し可能であり得る。さらなる実施形態では、留め具３４０は、器具を使用せずに設置及び取外し可能にするために刻み目を付けることができる。ソケット３１０が所定の位置にくると、ハンドル３００をソケットにねじ込む。次に、つまみねじ３３０をソケット３１０の上部の穴にねじ込み、使用者はねじを手で締めてハンドル３００と洗浄要素２００との接合部を補強することができる。いくつかの実施形態で、つまみねじは、より良好に握れるよう促したり、使用者による制御を促進したりするように、刻み目がついていることがある。
【００４３】
図１６、図１７、及び図１８は、ハンドル３００と共に使用するための改良を伴った洗浄要素２００の詳細な図である。図１６は、留め具１５３によってフォーム２１０に連結されたブラケット３２０を示す等角図である。また、洗浄要素２００がエスカレータの手摺の洗浄の実施形態で使用される洗浄要素と実質的に同一であることも示している。洗浄要素２００は、ストラップ２２０によって、サポート用の布２３０と繋げられ、またプラスチックフォーム２１０と繋げられる洗浄用の布２４０を有する。洗浄要素２００の変形例はここでは繰り返さないが、上に開示された変形例すべてが依然として当てはまる。いくつかの実施形態では、洗浄要素２００は、エスカレータの用途と比べてＡＤＡ適用用途においてわずかに異なる大きさであり得るが、それは同じ機能を果たす。
【００４４】
図１７は、洗浄要素２００の一実施形態の正面図である。この図面は、ブラケット３２０のソケット３１０への接合部を示す。ソケット３１０は、ブラケット３２０の穴を貫通する留め具３４０により、ブラケット３２０と連結され、ソケット３１０の底部のねじ付き受容部に入る。つまみねじ３３０は、使用者がハンドル３００（図示せず）をソケット３１０内へと締めることを可能にする。
【００４５】
図１８ａは、ブラケット３２０、ソケット３１０、及びねじ３３０が設置された洗浄要素２００の一実施形態の右側の側面図であり、ブラケットは、留め具１５３によって洗浄要素２００と連結されている。図１８ｂは、その左側の側面図である。
【００４６】
図１９は、手摺クリーナーの異なる実施形態の分解等角図である。この実施形態では、洗浄要素２００は、図１１で論じたように、実質的に可撓性のフォーム２１０と洗浄用の布２４０とからなる。この実施形態では、洗浄用の布２４０はストラップ２４１を含むことができる。ストラップ２４１は、ストラップ２２０及びばねクリップ２３４の補助のもと、パッド２４０をフォーム２１０上に保持するために使用することができ、その場合ストラップ２２０は可撓性フォームの上部にあるスリット２５０を通って配置され、クリップ２３４で定位置に保持される。次いで、ストラップ２４１をストラップ２２０と連結させて、布２４０を所定の位置に保持する一方で、ばねクリップ２３４はストラップ２４２をフォーム２１０まで保持する。布２４０のこの実施形態は、エスカレータの手摺の洗浄機構かＡＤＡ適用手摺洗浄機構と互換性がある。ピンホール２６０は、手摺クリーナーでの使用のために依然利用でき、ボール４２０とソケット４２１の接合部は、ＡＤＡ適用手摺クリーナーとして使用することを可能にする。ボール４２０とソケット４２１との接合部はまた、ボールがソケットにはまるが、依然その中で自由に回転するので、ハンドル３００とクリーナー２００との間のより大規模な可動性を許容する。
【００４７】
図２０は、エスカレータの手摺用クリーナーの異なる実施形態の等角図である。この実施形態では、位置要素１６３が二部のベースと連結されており、下側部分１７６と上側部分１７７が留め具１７８によって接合されて、上側ベース部と下側ベース部の間に間隙を残す。この実施形態では、取付けブラケット１５０はつまみねじ１９６を介してさらに位置決め可能であってよい。これは、取付けブラケットを上昇または下降させることを可能にするためにクランプを緩めるまたは締めるために回すことができる。
【００４８】
図２１は、いくつかの実施形態において二部のベースがスライダ部分１７９と動作可能に連結されてもよいことを示しており、それは自立型であっても、床またはカートベース１７０に取付けられてもよい。クランプ１９７は、二部のベースと動作可能に連結されて係止機構を施し、この機構によって、ベースは、定位置に保持できるか、クランプが解除されたときにベースがスライダ部分１７９に沿ってスライドできるようにする。
【００４９】
図２２は、スライダの実施形態の右側の側面図であり、二部のベース及びスライダに対して適切な位置にあるクレーム１９７、ならびに取付けブラケットを移動、傾斜、取外し、または交換させることができるように構成されているつまみねじ１９８を示す。
【００５０】
図２３は、エスカレータの手摺を洗浄するためのシステムの別の実施形態の等角図である。システムは伸長位置（または動作位置）で示されている。このシステムはカート５００と洗浄要素組立体６００とからなる。
【００５１】
いくつかの実施形態において、カート５００は、ハンドル５１０を含み得る。ハンドル５１０は、カート５００を適切な位置に押すまたは引くために使用され得る。ハンドル５１０は、金属製、プラスチック製、木材製であってもよく、ハンドルの機能を変えるのことない曲線状、直線状、または任意の他の形状もしくは材料であってもよい。
【００５２】
いくつかの実施形態では、カート５００はレセプタクル５２０を含み得る。レセプタクルは、ベース５７０とドア５３０との間の空間として画定され得る。レセプタクル５２０は、カート５００を介して、供給物、例えば洗浄液、タブ、交換部品、器具、及び／または他の品目を保管及び／または移送するために使用することができる。
【００５３】
ドア５３０は、回転可能であり、支持部５４０に連結させてもよい。支持部５４０はハンドル５１０をベース５７０に連結してもよい。支持部５４０は垂直方向にベースに連結された細長部材であってもよい。ドア５３０は、支持部５４０を中心とする回転により開閉することができる。ドア５３０は、洗浄プロセス中に開き、洗浄要素組立体６００の近くの空間を遮断または画定するために使用でき、例えば洗浄プロセス中に洗浄要素組立体６００と不正に相互作用する可能性を防止するか、その可能性を低減する。
【００５４】
ベース５７０は、カート５００用の支持構造であり、そのため、ベースの機能に影響を与えることのない、任意の硬質材料とすることができる。ベース５７０は、略長方形または正方形の形状であり得る。しかし、他の形状（例えば、菱形、平行四辺形、楕円形など）を使用してもよい。様々な実施形態において、ベースは、略正方形の形状であり得るが、（上から見たときに）正方形の角の一部を除去する面取り部を含み得る。いくつかの実施形態では、ベース５７０は車輪５７１を含み得る。車輪５７１は、ベースの角または縁部付近に配置され得る。いくつかの実施形態では、カート５００は、３つまたは４つの車輪５７１を含むことができる。車輪５７１はキャスタであってよく、これは方向が異なる場合にカート５００の移動を可能にすべく旋回するように構成される。キャスタを使用すると、カート５００、したがって洗浄要素組立体６００を移動させて、本明細書に記載の洗浄機能を実行することができる。いくつかの実施形態で、車輪５７１は、車輪ガードなどのベース５７０の一部によって覆われてもよい。
【００５５】
いくつかの実施形態では、カート５００は柱５６０を含むことができる。柱５６０は、ベース５７０に直接連結することができる。柱５６０は、ベース５７０から外向きに突出する細長いアームまたは部材とすることができる。壁に隣接して設置されたエスカレータでさえも、実質的に任意のエスカレータの手摺に洗浄要素組立体６００を位置決めすることを可能にするために、角またはベース５７０、またはベースの縁部付近に、柱５６０を連結させることができる。柱５６０は、ベース５７０に対する洗浄要素組立体６００の調整を可能にし、それによって洗浄要素組立体６００の高さの調整を施す特徴を含み得る。
【００５６】
いくつかの実施形態では、柱５６０は、柱旋回機構５６２に連結してもよい。柱旋回機構５６２は、ベース５７０に連結されてもよい。柱旋回機構５６２は、柱５６０の長手方向軸を中心とした柱５６０の回転を可能にし得る。いくつかの実施形態では、柱旋回機構５６２は、回転の中心で連結されたディスクとして実装されてもよい。
【００５７】
ヨーク５６４を柱５６０に連結することができる。ヨーク５６４は柱５６０に沿って移動可能であり、それによってベース５７０に対するヨーク５６４の高さを調整できるようにし得る。ヨーク５６４は、柱５６０を選択的に係合する連結機構を含むことができる。連結機構が柱５６０と係合しているとき、ヨーク５６４は柱５６０に対して動かなくてもよい。連結機構が柱５６０から少なくとも部分的に係合解除されるとき、ヨーク５６４を、例えば柱５６０の長手方向軸に平行な方向に沿って、柱５６０に対して動かすことができる。
【００５８】
取付けブラケット５６６は、ヨーク５６４に回転可能に連結されてもよい。取付けブラケット（別段にはクリーニングパッドキャリッジと知られている）は、洗浄要素組立体６００を形成する１つ以上の洗浄要素５６８を支持してもよい。いくつかの実施形態で、取付けブラケット５６６は「Ｃ」字形である場合があり、取付けブラケット５６６の端部に配置された２つの洗浄要素を含むことができる。柱５６０に対する取付けブラケット５６６の回転は、エスカレータの手摺の正しい位置、保守位置及び／または格納位置に、洗浄要素５６８を配置することを可能にし得る。取付けブラケット５６６は、ピンを介してヨーク５６４に連結することができ、取付けブラケット５６６の本体の中間位置またはその付近で、ピンの周りを回転することができる。したがって、ヨーク５６４は、連結要素５６８の間にある取付け組立体５６６の位置に連結することができる。このように記載される回転を可能にするために、他の種類の接合を使用してもよい。
【００５９】
様々な実施形態において、洗浄要素５６８は、取付けブラケット５６６に回転可能に連結されてもよい。取付けブラケット５６６に対する洗浄要素５６８の回転により、洗浄作業中にエスカレータの手摺の正しい位置に洗浄要素５６８を配置することが可能になり得る。各洗浄要素５６８は、ピンを介して取付けブラケット５６６に連結させてもよく、またピンの周りを回転してもよい。しかし、このように記載される回転を可能にするために他の種類の接合を使用してもよい。
【００６０】
図２４は、図２３に示すシステムの周囲の等角図である。図示のように、洗浄要素５６８は、洗浄作業中に少なくとも部分的にエスカレータの手摺２７０の周りに配置される。洗浄作業中、エスカレータの手摺２７０は、図２４に示す方向（この例に示すように時計回り）に移動することができる。洗浄要素５６８のうちの第１の洗浄要素５６８（１）は、エスカレータの動作中にエスカレータの手摺２７０に適用される洗浄液で、浸すことができる。本明細書に記載のシステムによる洗浄を開始するためにエスカレータを停止させる必要はない。洗浄要素５６８のうちの第２の洗浄要素５６８（１）は、洗浄液の少なくとも一部を吸収し、エスカレータの手摺２７０から破片、汚れ、及び／または他の異物を除去してエスカレータの手摺２７０を洗浄及び／または消毒することができる吸収パッドを含むことができる。洗浄プロセスは、所定の時間実行してもよく、その後カート５００を別のエスカレータの手摺に再配置させても、洗浄要素を洗浄液に再び浸しても、洗浄を中止してもよい。
【００６１】
様々な実施形態によると、カート５００は、反対方向に回転するエスカレータの手摺２７０を洗浄するように構成してもよい。その状況では、第２の洗浄要素５６８（２）は洗浄液に浸されることを含む一方で、第１の洗浄要素５６８（１）は、洗浄液の少なくとも一部を吸収して、エスカレータの手摺２７０からのごみ、汚れ、及び／または他の異物を除去してエスカレータの手摺２７０を洗浄及び／または消毒するための吸収パッドを含む。洗浄要素５６８は同一であっても、それぞれが吸収パッドを含んでいてもよい。動作の違いは、一方が洗浄液に浸し得るのに対して、他方が最初乾燥しており、少なくともいくらかの洗浄液を取戻すのに使用されることである。
【００６２】
図２５は、図２３に示すシステムの周囲の側面図である。エスカレータの手摺２７０に対する洗浄要素５６８を位置決めしているあいだに、取付け組立体５６６は、ヨーク５６４を柱５６０に対して移動させることによって、昇降させることができる。図２５に示すように、取付け組立体５６６をヨーク５６４に対して回転させて、洗浄要素５６８をエスカレータの手摺２７０の適切な位置に位置決めすることができる。システムは、自己調整して、カートの構成要素（例えば、取付け組立体５６６、柱５６０の回転、車輪５７１を介したカート５００の移動など）を再配置することができ、これにより、洗浄動作中に、洗浄要素５６８をエスカレータの手摺２７０の正しい位置に係合させる。様々な実施形態では、取付け組立体５６６とヨーク５６４との間の相互作用によって生じた間隙は、洗浄要素５６８がエスカレータの手摺２７０の適切な位置にあるかどうかを判定するために使用可能なゲージ５９０を、作り出すことができる。ゲージ５９０により見られるとき、間隙の位置は、もしあればどの方向に、操作者が取付け組立体５６６をヨーク５６４に対して回転させるべきか（例えば、時計回り、反時計回り）を示すことができる。
【００６３】
図２６は、カート５００内の格納位置にあり、カートのドアが開位置にある状態で構成されたシステムの等角図である。図２５に示す洗浄位置から格納位置へ移動するために、柱５６０を回転させて洗浄要素５６８をベース５７０の上に、またおそらくベース５７０の中心付近に、位置付けることができる。ヨーク５６４は、柱５６０に沿って、ベース５７０に向けてより低い位置へと移動させて、かくしてヨーク５６４の高さを低くすることができる。ドア５３０は開位置において示されている。
【００６４】
図２７は、カート５００内の格納位置にあり、カートのドア５３０が閉位置にある状態で構成されたシステムの背面の等角図である。カート５００の移送中、ドアは閉位置に配置されてもよい。ドアは、ドアを閉位置に固定するために他のドア、ベース、及び／または対応する連結機構を係合する連結機構を含むことができる。
【００６５】
図２８は、保守位置にあるエスカレータの手摺を洗浄するためのシステムの等角図である。図２５に示されている洗浄位置から保守位置へ移動するために、取付け組立体５６６を回転させて、洗浄要素５６８をヨーク５６４の上方に位置決めすることができる。洗浄要素５６８をヨーク５６４の上方に位置決めすることで、洗浄要素の検査、洗浄要素５６８の１つ以上へのパッドの適用、洗浄要素５６８の１つ以上への洗浄液の適用などのために、使用者は洗浄要素を利用しやすくできる。
【００６６】
図２９は、柱５６０、ヨーク５６４、取付けブラケット５６６、及び洗浄要素５６８を含むシステムの例示的な副次的組立体５０２の側面図である。副次的組立体５０２は、図２３に示されているカート５００のベース５７０から取外し可能であってよい。副次的組立体５０２は、固定型プラットフォーム及び／または移動型プラットフォームを含む異なるプラットフォームに取付けるように構成することができる。副次的組立体５０２は、保守位置にて示されているが、洗浄位置、格納位置、または中間位置に移動することができる。
【００６７】
洗浄要素５６８は、パッド５６９と共に図２９に示されている。パッド５６９は、ほこり、破片、及び他の異物をエスカレータの手摺から効率的に除去することができる、マイクロファイバなどの洗浄用材料で形成することができる。パッド５６９は、洗浄液を吸収するスポンジ材料などのフォームコアを含み得る。フォームコアは、材料の層、例えばマイクロファイバの層の間に挟まれてもよい。パッド５６９は、カプラを使用して、及び／またはパッドを洗浄要素の少なくとも一部の上に形状で嵌合することによって、洗浄要素に固定してもよい。例えばパッド５６９は、摩擦による嵌合を生じさせるように洗浄要素に亘り引き伸ばすことができる、弾性特性を有する材料で、形成することができる。パッド５６９は他の手段、例えばフック・ループ型カプラ、スナップ、「ｃ」字形のばねクリップにより固定してもよい。
【００６８】
様々な実施形態で、ヨーク５６４は、柱５６０に対するヨーク５６４の移動を制限するために、柱５６０と選択的に係合する連結装置５６３を含むことができる。いくつかの実施形態では、連結装置５６３は、柱５６０に配置される複数の開口部の１つと係合するばね荷重ピンである。柱５６０に対してヨーク５６４を移動させるために、操作者は、連結装置５６３を操作してピンを開口部から係合解除し、ヨーク５６４の移動を可能にする。同等の動作と高さの調整を成し遂げるために、他の連結機構の設計を使用してもよい。
【００６９】
図３０は、システムの例示的な副次的組立体の分解等角図である。分解図は、システムの様々な構成要素を連結し、それらの構成要素間の回転運動を可能にするために使用され得る様々なカプラデバイスを示す。第１の連結機構５６５は、取付け組立体５６６をヨーク５６４に連結することができる。第１の連結機構５６５はピンにすることができ、これはピンの長手方向軸の周りで取付け組立体５６６を回転させることができる。第２の連結機構５６７は、洗浄要素５６８を取付け組立体５６６に連結することができる。第２の連結機構５６７はピンにすることができ、これはピンの長手方向軸の周りに洗浄要素５６８を回転させることができる。
【００７０】
取付け組立体５６６の側方の板の輪郭は、ヨーク５６４に対する取付け組立体の動き（例えば、回転）を制限でき、及び／または取付け組立体５６６に対する各洗浄要素５６８の動き（例えば、回転）を制限することができる。例えば、取付け組立体５６６の洗浄要素５６８の取付け位置付近にあるタブは、洗浄要素５６８と係合して、その回転、例えば洗浄動作中に洗浄要素を通るエスカレータの手摺の移動によって引き起こされる回転を制限することができる。
【００７１】
図３１は、手摺を洗浄するためのシステム用の洗浄要素５６８に関する別の実施形態の等角図である。いくつかの実施形態では、洗浄要素５６８は、部分的にまたは実質的に可撓性フォームから形成されてもよい。洗浄要素は、プラスチック、発泡体、または任意の数の複合材料などの任意の可撓性材料から形成することができる。他の実施形態では、可撓性フォームは、シリコーン、シリコーンゴム、テフロンなどといった非反応性または実質的に不活性な材料からなるのでもよい。可撓性フォームの主な機能は、洗浄要素５６８の特定の外形の形状７０２を設けることである。それにより、依然として手摺またはフォームを傷つけることなく手摺の上に置いたり手摺から取外したりするのに十分柔軟でありながらも、要素が人間の使用に曝される手摺の表面及び側面に実質的に一致し、少なくとも部分的にそれらを覆うことが可能になる。外形の形状７０２は「Ｃ」の字の形状に似ていてもよい。可撓性フォームは、少なくとも１つの洗浄液と接するであろうが、その多くは少なくとも１つの腐食性または化学的研磨成分を含有している。可撓性フォームはまた、光沢剤、ワックス、及び手摺の材料と接する可能性が高い。そのため、可撓性フォームの材料特性は特定の用途に関連するようになり得る。したがって、多くの可撓性材料は、可撓性フォームの一次機能または二次機能のいずれをも変更するもことなく機能でき、特定の用途のために必要に応じて変更できる。
【００７２】
洗浄要素５６８は取付け構成要素７０４を含むことができ、これは図２３に示される取付け組立体５６６に連結されるように構成され、及び／またはこの後記載され図４１に示されているハンドルと類似したハンドルに連結されるように構成される。取付け構成要素７０４は、円筒形に成形することができ、取付け構成要素７０４の長手方向軸を通るまたはその近くにあるピン開口部７０６を含むことができる。ピン開口部７０６は、図３０に示す第２の連結機構５６７を受容することができる。取付け構成要素７０４はボールジョイントキャビティ７０８を含み得、これは対応するボールジョイント構成要素を受容するように構成され得る。対応するボールジョイント構成要素は、ハンドルに連結されてもよく、操作者が、ハンドルを握ることによって手動で洗浄要素を使用できるようにし得る。例示的なハンドル及びボールジョイント構成要素が、図４１〜図４３に示されている。
【００７３】
洗浄要素５６８は、デバイス、材料、及び／または他の対象を洗浄要素に連結することを可能にするために、様々な凹部、キャビティ、及び／または他の連結機構を含むことができる。洗浄要素５６８は、「Ｃ」字形クリップなどのばねクリップによって係合することができる複数のクリップ凹部７１０を含むことができる。洗浄要素５６８は複数のパッドカプラ７１２を含むことができ、これはパッド（例えば、図３０に示すパッド５６９）に連結してパッドを洗浄要素に固定することができる。パッドカプラ７１２は、パッドに連結するためにフック・ルック型カプラを使用してもよい。パッドカプラは、パッドカプラ開口部７１４を介して洗浄要素５６８と係合することができる。
【００７４】
図３２は、パッド５６９を含む、図３１に示される洗浄要素の等角図である。パッド（本明細書では「布」とも称される）は、マイクロファイバ、綿、テリークロス、または任意の数の標準的な洗浄用の布材料の少なくとも一部から形成され得る。マイクロファイバは、水分を保持し、さらに破片を収集して保持し得ることについて理想的である。この用途では、パッド５６９は、洗浄液を保持することと、洗浄プロセス中に除去されたいずれかの破片を捉えることの双方のために使用でき、その用途にはマイクロファイバが一際良く適している。
【００７５】
パッド５６９は、洗浄要素５６８の内側部分７１６と同一平面に位置し、内側部分７１６の大部分または全面を覆い、場合によっては洗浄要素５６８の他の部分を覆うように設計することができる。そうすることで、パッド５６９は、パッド５６９の機能を妨げない何らかの方法で洗浄要素５６８に連結することができる可能性がある。１つの解決策は、洗浄要素５６８に連結することができるパッドにポケットを作成することである。いくつかの実施形態で、パッド５６９は洗浄要素の一部に引き伸ばされ、それが少なくとも部分的にポケット（複数可）に挿入される、フォームが突出して連結機構及び取付け構成要素７０４へ接近できるようにするためのスポットを上部に残す。いくつかの実施形態では、パッド５６９は、フック・ループ型カプラによってなど、パッドカプラ７１２に連結するストラップ７１８によって、洗浄要素５６８上に保持される。様々な実施形態で、パッド５６９は、ストラップ７１８を使用せずに、洗浄要素５６８の一部においてまたはそれに亘って位置を維持するのに十分なほど、弾性であり得る。他の実施形態では、ストラップ７１８はパッド５６９と直接接続し得る。
【００７６】
図３３は、パッド５６９を含む、図３１に示す洗浄要素の正面図である。洗浄要素５６８の側面から側面までの輪郭は、手摺の上面と側面を部分的にまたは実質的に覆い、ぴたりと合うように設計され、パッド５６９が、人間が触れる可能性があるハンドルの表面に触れることを可能にする。洗浄要素の外形の形状７０２は、移動式手摺（例えばエスカレータのもの）と固定型または静止型手摺（例えば階段、バルコニー、海上船舶の甲板などのもの）の両方を含む標準的な手摺の大きな断面積を覆うべく、「Ｃ」字形である。
【００７７】
図３４は、パッドを含む図３１に示す洗浄要素の側面図である。これは非限定的な例であり、ここでは洗浄要素５６８の本体は、わずかに湾曲した長手方向の外形７２０を含む。図２と図３に示すように、エスカレータの手摺を洗浄するためのシステムは、エスカレータの端部に配置することができ、そこでは手摺が床から出てエスカレータの全長に亘って進み始める。わずかに湾曲した長手方向の外形７２０は、洗浄要素５６８が手摺の親柱の端部との接触を少し長く維持することを可能にし、手摺と洗浄要素との間のより良い洗浄及び摩擦点の減少をもたらすことができ、これは最終的にシステムの磨耗を減少させ得る。しかし、他の実施形態では、長手方向の輪郭は実質的に直線であり、手摺に曲率がないか曲率がほとんどない場合に、動く歩道またはエスカレータの他の部分に、システムを使用することを可能にする。
【００７８】
図３５は、１つ以上の保持クリップ７２２を含む、図３１に示される洗浄要素の等角図である。保持クリップ７２２は、保持クリップ（複数可）７２２を洗浄要素へ連結するためにクリップ凹部７１０と係合する「Ｃ」字形のばねクリップであり得る。保持クリップ７２２は、手摺の外形に一致するように発泡体の洗浄要素に特定の形状（例えば、「Ｃ」字の形状）を保持させることができ、したがって洗浄操作中にパッドを手摺に接触させることができる。保持クリップは、洗浄要素を手摺の上に挿入するときに撓む（例えば、外側に曲がる）ことができる。いくつかの実施形態では、保持クリップは、パッド５６９を洗浄要素に固定するなど、他の目的及び／または追加の目的を果たすことができる。
【００７９】
図３６は、洗浄要素に係合する保持クリップを示す概略図である。保持クリップ７２２の端部は、保持クリップ７２２を洗浄要素に固定するために少なくとも部分的にクリップ凹部７１０に挿入される。保持クリップ７２２の直径よりも大きい直径を有する手摺の洗浄を可能にすることを含む（場合によっては外向きに偏向されたときでも）保持クリップは、様々な理由で選択的に取外すことができる。
【００８０】
図３７は、図３６に示す洗浄要素の正面図であり、手摺への挿入及び／または異なる手摺の異なる断面形状に対応するための洗浄要素の撓みの例示的な範囲を示す。外力がなくても、洗浄要素の外形は、第１の外形７２４として形作られてよい。洗浄要素は、手摺の直径に応じて第２の外形７２６及び／または第３の外形７２８まで外側に延びてもよい。洗浄要素及び保持クリップの形態は、洗浄要素の形状を保持してもよく、手摺との係合がなければ第１の外形７２４に戻ってもよい。
【００８１】
図３８は、図３５に示す洗浄要素の断面等角図である。図３９は、図３５に示す洗浄要素の正面の断面図である。図３８と図２９は、クリップ凹部７１０と内面７１６を示している。
【００８２】
図４０は、保持クリップ７２２（図３５に示す）を除いた図３９に示す洗浄要素の正面図であり、手摺及び／または異なった手摺の異なる断面の外形の上に挿入するのに対応するための洗浄要素の例示的な偏向範囲を示す。外力がなくても、洗浄要素の外形は、第１の外形７２４のように形作られてよい。洗浄要素は、保持クリップ７２２がない場合には、手摺の直径に応じて、外向きに第４の外形７３０に引き伸ばしてもよい。しかし、保持クリップがクリップ凹部に固定されていると（図３７に示すように）、保持クリップ７２２によって洗浄要素５６８に付与される力に起因して、第４の外形７３０を達成することができない場合がある。第４の外形は、図３７に示す第３の外形７２８よりも大きい直径を有する。洗浄要素５６８の形状は、洗浄要素の形状を保持してもよく、手摺との係合がなければ第１の外形７２４に戻ってもよい。
【００８３】
図４１は、手摺を洗浄するためのシステムのさらに別の実施形態の等角図である。図４１は、洗浄要素９００に選択的に連結するように構成されたハンドル組立体８００を示す。洗浄要素９００は、図３１に示される洗浄要素５６８と同一または類似し得る。しかし、洗浄要素９００は異なっていてもよく、また例えば、標準的なエスカレータの手摺よりも小さい直径を有する固定式の手摺の掃除に対応するために、洗浄要素５６８よりも小さい直径を含むことができる。例えば、洗浄要素９００は、２インチ未満（約５０ミリメートル未満）の断面の直径を有する手摺を洗浄するように設計されてもよい。
【００８４】
ハンドル組立体８００は、洗浄動作中に人間の操作者によって握られるハンドル８０２を含み得る。ハンドル８０２は、シャフト８０４の第１の端部でシャフト８０４に連結してもよい。シャフト８０４の第２の端部は、ボールジョイント８０６に連結してもよい。第１の端部と第２の端部の間にあるシャフトに沿った位置に、連結機構８０８を連結することができる。
【００８５】
洗浄要素９００は、洗浄作業中に手摺に係合する本体９０２を含み得る。洗浄要素９００は、図３１に示す洗浄要素５６８に関して上述した特性及び／または特徴のいずれかを含み得る。洗浄要素９００は、ボールジョイント８０６を受けるためのソケットジョイント９０４を含み得る。洗浄要素９００は、連結機構８０８に連結するための取付け構成要素９０６を含むことができる。取付け構成要素９０６は、連結機構８０８の外形と相補的な外形を有することができ、例えば共にクリップ留めまたはスナップ嵌めすることができる。洗浄要素９００はパッドカプラ９０８を含んでもよく、これはパッドを洗浄要素に固定するように構成され得る。パッドは、図３２に示されるパッド５６９と類似または同一であり得る。
【００８６】
ハンドル組立体８００は、ボールを対応するソケット（例えば、図３１に示すボールジョイントキャビティ７０８）に固定するために、洗浄要素５６８の対応する連結機構を係合させることなどによって、図３１に示す洗浄要素５６８に連結するように構成され得る。
【００８７】
図４２は、図４１に示す洗浄要素９００の断面の等角図である。断面図は、ソケットジョイント９０４の説明図及びパッドカプラ９０８の例示の位置決めを示している。
【００８８】
図４３は、図４１に示され、パッドを洗浄要素９００に固定するように構成されたパッドカプラ９０８を含むシステムの等角図である。
【００８９】
組み立てられたハンドル８００組立体及び洗浄要素９００の動作中、人間の使用者は、ボールジョイント８０６がソケットジョイント９０４に対して移動している間に手摺を洗浄するように、手摺にわたって洗浄要素を移動させることができ、操作者が広範囲の角度から洗浄要素を快適に動かすことを可能にする。シャフト８０４は、操作者が洗浄要素９００を手摺に係合させる距離に達することを可能にし、それは操作者の上方など、人間の操作者から数インチまたは数フィート離れていてもよい。
【００９０】
本明細書に記載の本主題の特定の態様を示し説明してきたが、本明細書の教示に基づいて、本明細書に記載した主題及びさらに広いその態様から逸脱することなく変更及び修正を加えることができ、したがって添付の特許請求の範囲は、本明細書に記載の本主題の真の精神及び範囲内にある場合にすべてのかような変更及び修正をその範囲内に包含するものであることは、当業者に明らかである。さらに、本開示は添付の特許請求の範囲によって定義されることを理解されたい。概して、本明細書で、及び特に添付の特許請求の範囲（例えば、添付の特許請求の範囲の本文）で使用される用語は、一般に「オープンな」用語として意図されている（例えば、「ｉｎｃｌｕｄｉｎｇ（含む）」という用語は「含むが、これに限定されない」と解釈されるべきで、「有する」という用語は「少なくとも有する」と解釈されるべきであり、「ｉｎｃｌｕｄｅｓ（含む）」という用語は「含むが、これに限定されない」と解釈されるべきであるなど）ことが、当業者に理解される。特定の数の導入された請求項の列挙が意図されている場合、そのような意図は請求項に明示的に列挙され、そのような列挙がない場合、そのような意図は存在しないということが、当業者によってさらに理解される。例えば、以下の添付の特許請求の範囲は、理解を促すものとして、請求項の列挙の導入をするための導入句「少なくとも１つ」及び「１つまたは複数」の使用を含み得る。ただし、そのような句を使用することは、その請求項が、「１つまたは複数」または「少なくとも１つ」という導入句や、「ａ」または「ａｎ」などの不定冠詞を含む（例えば、「ａ」及び／または「ａｎ」は通常「少なくとも１つ」または「１つ以上」を意味すると解釈されるべきである）ときでも、不定冠詞「ａ」または「ａｎ」による請求項の列挙の導入が、そのような導入される請求項の列挙を含む任意の特定の請求項を、１つのみのこうした列挙を含む開示に限定するということを意味すると解釈されるべきではない。請求項の列挙を導入するために使用される定冠詞の使用にも同じことが当てはまる。さらに、特定の数の導入された請求項の列挙が明示して記載されていても、そのような列挙が少なくとも列挙された数を意味すると通常解釈されるべきであることを当業者は認識する（例えば、他の修飾語なしで「２という列挙」と直接列挙することは、通常は少なくとも２つの列挙、または２つ以上の列挙を意味する）。さらに、それらの例では、「Ａ、Ｂ、及びＣなどのうちの少なくとも１つ」に類似する決まりが使用されている場合、一般に、そのような構成は、当業者が決まりを理解するという意味で意図されている（例えば、「Ａ、Ｂ、及びＣのうちの少なくとも１つを有するシステム」は、Ａ単独、Ｂ単独、Ｃ単独、ＡとＢを一緒、ＡとＣを一緒、ＢとＣを一緒、及び／またはＡとＢとＣを一緒などに有するシステムを含むがこれに限定されない）。
【００９１】
本開示の好ましい実施形態及び代替の実施形態を図解及び説明してきたが、上記のように、本開示の精神及び範囲から逸脱することなく多くの変更を加えることができる。したがって、本開示の範囲は、これらの好ましい実施形態及び代替の実施形態の開示によって限定されない。むしろ、本開示は、後続の特許請求の範囲を参照することによって、全面的に判断するべきである。
【図１】
2019206438.tif 000003
【図２】
2019206438.tif 000004
【図３】
2019206438.tif 000005
【図４】
2019206438.tif 000006
【図５】
2019206438.tif 000007
【図６】
2019206438.tif 000008
【図７】
2019206438.tif 000009
【図８】
2019206438.tif 000010
【図９】
2019206438.tif 000011
【図１０】
2019206438.tif 000012
【図１１】
2019206438.tif 000013
【図１２】
2019206438.tif 000014
【図１３】
2019206438.tif 000015
【図１４】
2019206438.tif 000016
【図１５】
2019206438.tif 000017
【図１６】
2019206438.tif 000018
【図１７】
2019206438.tif 000019
【図１８】
2019206438.tif 000020
【図１９】
2019206438.tif 000021
【図２０】
2019206438.tif 000022
【図２１】
2019206438.tif 000023
【図２２】
2019206438.tif 000024
【図２３】
2019206438.tif 000025
【図２４】
2019206438.tif 000026
【図２５】
2019206438.tif 000027
【図２６】
2019206438.tif 000028
【図２７】
2019206438.tif 000029
【図２８】
2019206438.tif 000030
【図２９】
2019206438.tif 000031
【図３０】
2019206438.tif 000032
【図３１】
2019206438.tif 000033
【図３２】
2019206438.tif 000034
【図３３】
2019206438.tif 000035
【図３４】
2019206438.tif 000036
【図３５】
2019206438.tif 000037
【図３６】
2019206438.tif 000038
【図３７】
2019206438.tif 000039
【図３８】
2019206438.tif 000040
【図３９】
2019206438.tif 000041
【図４０】
2019206438.tif 000042
【図４１】
2019206438.tif 000043
【図４２】
2019206438.tif 000044
【図４３】
2019206438.tif 000045
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
可動カートと、
前記可動カートから延びる柱と、
前記柱に取外し可能に付けるように構成されたクリーニングパッドキャリッジであって、取付けブラケット、及び、前記取付けブラケットに取外し可能に取付けるように構成される手摺を洗浄するためのパッドを含むクリーニングパッドキャリッジと、
を備える、手摺を洗浄するためのシステム。
【請求項２】
前記パッドが、前記手摺の少なくとも一部分を包むようにさらに構成されている、請求項１に記載の手摺を洗浄するためのシステム。
【請求項３】
前記パッドが、前記手摺の形状に実質的に一致する、請求項１に記載の手摺を洗浄するためのシステム。
【請求項４】
前記パッドが、前記取付けブラケットと旋回可能に取付け可能である、請求項１に記載の手摺を洗浄するためのシステム。
【請求項５】
前記パッドが、前記手摺の端部で前記手摺の上及び外にスライドするようにさらに構成されている、請求項１に記載の手摺を洗浄するためのシステム。
【請求項６】
前記パッドが前記取付けブラケットの第１の端部に取付け可能である第１のパッドであり、
前記クリーニングパッドキャリッジは、前記取付けブラケットの第２の端部に取外し可能に取付けるように構成される第２のパッドをさらに含み、
前記第１のパッドと前記第２のパッドは垂直面を通して実質的に整列している、請求項１に記載の手摺を洗浄するためのシステム。
【請求項７】
ベース支持構造と、
前記ベース支持構造の前方部分に配置される柱と、
前記柱に沿って前記ベース支持構造の上方の位置で垂直に支持される前記手摺を洗浄するための少なくとも１つのパッドと、
を備える、手摺を洗浄するためのシステム。
【請求項８】
前記ベース支持構造の前記上方の位置が第１の位置であり、
前記少なくとも１つのパッドが、前記第１の位置で支持される第１のパッド、及び、前記第１の位置とは垂直方向に異なる第２の位置にて支持される第２のパッドを含む、請求項７に記載の手摺を洗浄するためのシステム。
【請求項９】
前記第１のパッドと前記第２のパッドが、垂直面に沿って実質的に整列するように、前記第１のパッドと前記第２のパッドが配置されている、請求項８に記載の手摺を洗浄するためのシステム。
【請求項１０】
前記第１のパッドと前記第２のパッドが、前記システムが洗浄する状態にあるとき、前記第１のパッドが前記手摺に液体洗浄剤を供給し、前記第２のパッドが前記手摺に残っている前記液体洗浄剤を乾かすのに機能するように配置される、請求項８に記載の手摺を洗浄するためのシステム。
【請求項１１】
前記少なくとも１つのパッドが、取付け可能である取付けブラケットをさらに備え、前記取付けブラケットが上側マウントと下側マウントとを含む、請求項７に記載の手摺を洗浄するためのシステム。
【請求項１２】
前記少なくとも１つのパッドが、前記取付けブラケットの前記下側マウントに配置される第１のパッド、及び、前記取付けブラケットの前記上側マウントに配置される第２のパッドを含む、請求項１１に記載の手摺を洗浄するためのシステム。
【請求項１３】
柱と、
前記柱に連結させる上側マウントと下側マウントとを有する取付けブラケットと、
前記下側マウントに配置される第１のパッドと、
前記上側マウントに配置される第２のパッドと、
を備え、
前記第１のパッド及び前記第２のパッドは、エスカレータの手摺の形状に対応するように形成されている、手摺を洗浄するためのシステム。
【請求項１４】
前記第１のパッドと前記第２のパッドが、前記第１のパッドと前記第２のパッドが垂直面に沿って実質的に整列するように配置される、請求項１３に記載の手摺を洗浄するためのシステム。
【請求項１５】
固定するように前記柱が取付けられる支持体と、
前記柱の移動を促進するために前記支持体に付けられる複数の車輪と、
をさらに含む、請求項１３に記載の手摺を洗浄するためのシステム。
【請求項１６】
前記取付けブラケットが、ヨークを介して前記柱に旋回可能に取付け可能である、請求項１に記載の手摺を洗浄するためのシステム。
【請求項１７】
前記柱に沿ったヨークの位置が調整可能である、請求項１に記載の手摺を洗浄するためのシステム。
【請求項１８】
前記可動カートに枢動可能に取付けられる１つまたは複数のドアをさらに備える、請求項１に記載の手摺を洗浄するためのシステム。
【請求項１９】
前記取付けブラケットの位置が前記柱の全長に沿って調整可能である、請求項１３に記載の手摺を洗浄するためのシステム。
【請求項２０】
前記取付けブラケットの向きが、前記支持体から延びる第１の位置と、前記支持体を覆って延びる第２の位置との間で調整可能である、請求項１５に記載の手摺を洗浄するためのシステム。
【外国語明細書】
2019206438000001.pdf